(57)【要約】【課題】リモコンキーの押下時に、キーが多重押下され、また各種ノイズが発生しても、操作対象機器側でのデコードエラーを少なくするとともに、素早いキーの押し替えにも反応できるリモコン信号の受信装置及び受信方法。【解決手段】リモコン信号の受信装置において、リモコン送信機４０から送信されるキーコード信号をリモコン受光部３５で受信する。受信したキーコード信号を音量キー等の連続動作するキーによるものと、電源キー等の連続動作しないキーによるものに区別し、受信したキーコード信号を確定する処理を行う処理手段とからなり、処理手段は区別されたキーコード信号の種類毎に異なる処理を行う。これにより、例えば電源キーの連続押下中に一時的に押下が中断された場合にも、ＯＦＦ→ＯＮ、ＯＮ→ＯＦＦとなるようなことがない。【選択図】図１
2007228124.tif 000002
【特許請求の範囲】
【請求項１】
リモコン送信手段から送信されるキーコード信号を受信する手段と、受信した前記キーコード信号を連続動作するキーによるものと連続動作しないキーによるものに区別する手段と、受信した前記キーコード信号を確定する処理を行う処理手段とからなり、該処理手段は区別された前記キーコード信号の種類毎に異なる処理を行うことを特徴とするリモコン信号の受信装置。
【請求項２】
請求項１に記載のリモコン信号の受信装置において、前記処理手段は、前記連続動作するキーによるキーコード信号を確定した後、異なるキーコード信号を受信したとき、前記異なるキーコード信号を確定することを特徴とするリモコン信号の受信装置。
【請求項３】
請求項２に記載のリモコン信号の受信装置において、前記異なるキーコード信号が定義されたキーコードでないとき、前記連続動作するキーによるキーコード信号を確定することを特徴とするリモコン信号の受信装置。
【請求項４】
請求項１に記載のリモコン信号の受信装置において、前記処理手段は、前記連続動作しないキーによるキーコード信号を確定した後、異なるキーコード信号を複数回連続して受信したとき、前記異なるキーコード信号を確定することを特徴とするリモコン信号の受信装置。
【請求項５】
請求項４に記載のリモコン信号の受信装置において、前記異なるキーコード信号が定義されたキーコード信号でないとき、前記連続動作しないキーによるキーコードを確定することを特徴とするリモコン信号の受信装置。
【請求項６】
リモコン送信手段から送信されるキーコード信号を受信し、受信した前記キーコード信号を連続動作するキーによるものと連続動作しないキーによるものに区別し、区別された前記キーコード信号の種類毎に異なる処理を行って前記受信したキーコード信号を確定することを特徴とするリモコン信号の受信方法。
【発明の詳細な説明】
【技術分野】
【０００１】
本発明は、リモコン信号の受信装置及び受信方法に関し、リモコン装置に設けられた各操作ボタンやタッチパネルの操作の実行に伴い各操作ボタンの機能を実行するためのキーコード信号をリモコン信号の受光部で受信する動作に関する。さらに詳しくは、リモコン信号の受光部で受信したキーコード信号を連続動作するキーによるものと連続動作しないキーによるものに区別し、区別されたキーコード信号の種類毎に異なる処理を行ってキーコード信号を確定するようにしたリモコン信号の受信装置及び受信方法に関する。
【背景技術】
【０００２】
テレビジョン放送受信装置、ＤＶＤプレーヤ、ＨＤＤプレーヤ等のＡＶ機器の操作にリモートコントロール装置、いわゆるリモコン装置が使われている。また、ＡＶ機器ばかりでなく、エアコンや照明器具等の電子機器の操作にリモコン装置が使われている。現在普及している多くのリモコン装置は、赤外線等を利用した一方向通信を行うものである。
【０００３】
従来のリモコン信号の送信機では、その操作面に複数のキーが配設され、複数のキーの中から所望のコマンドに対応するキー（ボタン）が押されると、そのキーのコマンドに対応する赤外線等によるリモコン信号（遠隔制御信号）が出力される。このリモコン送信機からのリモコン信号が操作対象機器の受信部で受信され、受信されたリモコン信号に応じて、操作対象機器の動作が設定される。
【０００４】
リモコン送信機の操作面に配設されているキーの中には、押下し続けることで操作性を向上させるものがある。例えば、テレビジョン放送受信装置における、音量キーや選局キーは押し続けることで所望の状態になるまで何回もキーを押下する必要がなくなり、また、記録再生装置における早送り／早戻しキーは、再生中に押下し続けることで段階的な速さでの早送り／早戻しが可能となる。
【０００５】
このようなキーの押下し続けは、キーを押下している間、一定間隔でキーの押下状態を意味する信号を送り続けることにより、操作対象機器に対してキーを連続的に押下していることを伝え、また、キーの押下状態を意味する信号の送信を停止することで操作対象機器に対してキーの押下が終了したことを伝えている。しかしながら、赤外線等を利用した一方向通信を行うリモコン装置では、その動作時における種々の外部・内部的要因、例えば照明光源、本体内部ノイズ、通信時のノイズ、キーの多重押し等によって、誤動作をすることがある。
【０００６】
リモコン装置が誤動作をするのを防止するための手段として、例えば特許文献１に開示されたリモコン用制御装置が知られている。このリモコン用制御装置は、リモコン送信機側のチャタリング防止に関するもので、チャタリングによる誤動作を防止するために、連続送信する／しないを送信機側で判断し、受信側でのソフトウェアの負担を軽減するものである。また、特許文献２に開示された遠隔制御信号の受信装置は、キーアップ／キーダウンを受信機側で検出する機能を設け連続動作を決定し、データの転送量を削減することで他の通信の邪魔をせず、帯域の狭い通信路を用いることができるようにしたものである。
【特許文献１】特開平１１−１６８７７９号公報
【特許文献２】特開２００５−１７５７７８号公報
【発明の開示】
【発明が解決しようとする課題】
【０００７】
しかしながら、前記したような従来のリモコン装置で行っていたように、連続送信する／しないをリモコン送信機側で判断する場合、リモコン送信機側で正しいキーコード信号を出力したとしても、リモコン受信機側で外来ノイズを受けてしまった場合は正しい動作が期待できない。特に、操作対象機器が液晶テレビの場合は、バックライトというノイズ源を自ら有しているので、受信側でノイズ耐性を強化することが重要となる。さらに、市場において、部屋の照明光源の種類によりノイズを受けて誤動作するような不具合も報告されている。
【０００８】
また、従来のリモコン送信機では、例えばカーソルキーのような連続動作するキーを連続押下している間にノイズ等の影響を受け、カーソルの高速動作が途中で一瞬途切れるといった現象が生じることがある。一方、電源キーのような連続動作しないキーで連続押下が一時的に途切れた場合、キーを１回押しただけなのに２回押したような動作をし、つまり、電源キーを１回押下したと認識しているにもかかわらず、電源がＯＦＦ→ＯＮ、ＯＮ→ＯＦＦすることが発生し、見た目にも誤動作が顕著に現れる。
【０００９】
本発明は、以上のような事情に鑑みてなされたもので、リモコン装置の動作時に種々の外部的あるいは内部的要因（照明光源、本体内部ノイズ、リモコン通信時のノイズ、リモコンキーの多重押下等）が発生しても、操作対象機器側でのデコードエラーの影響を少なくするとともに、素早いキーの押し替えにも反応できるリモコン信号の受信装置及び受信方法を提供することを目的とする。
【課題を解決するための手段】
【００１０】
本発明の第１の技術手段は、リモコン信号の受信装置において、リモコン送信手段から送信されるキーコード信号を受信する手段と、受信した前記キーコード信号を連続動作するキーによるものと連続動作しないキーによるものに区別する手段と、受信した前記キーコード信号を確定する処理を行う処理手段とからなり、該処理手段は区別された前記キーコード信号の種類毎に異なる処理を行うことを特徴とし、リモコンキーが連続的に入力されたときの受信機側の動作に着眼し、キーの種類によって連続押下中の処理内容を切り分けるものである。
【００１１】
第２の技術手段は、第１の技術手段のリモコン信号の受信装置において、前記処理手段は、前記連続動作するキーによるキーコード信号を確定した後、異なるキーコード信号を受信したとき、前記異なるキーコード信号を確定することを特徴とし、連続動作するキーに対しては、キーの押下換えに対して敏感に反応するものである。
【００１２】
第３の技術手段は、第２の技術手段のリモコン信号の受信装置において、前記異なるキーコード信号が定義されたキーコードでないとき、前記連続動作するキーによるキーコード信号を確定することを特徴とする。
【００１３】
第４の技術手段は、第１の技術手段のリモコン信号の受信装置において、前記処理手段は、前記連続動作しないキーによるキーコード信号を確定した後、異なるキーコード信号を複数回連続して受信したとき、前記異なるキーコード信号を確定することを特徴とし、連続動作しないキーに対しては、キーの押下換え判定を厳密にし、耐ノイズ性能を向上させると同時にレスポンスも低下させないものである。
【００１４】
第５の技術手段は、第４の技術手段のリモコン信号の受信装置において、前記異なるキーコード信号が定義されたキーコード信号でないとき、前記連続動作しないキーによるキーコードを確定することを特徴とする。
【００１５】
第６の技術手段は、リモコン信号の受信方法において、リモコン送信手段から送信されるキーコード信号を受信し、受信した前記キーコード信号を連続動作するキーによるものと連続動作しないキーによるものに区別し、区別された前記キーコード信号の種類毎に異なる処理を行って前記受信したキーコード信号を確定することを特徴とする。
【発明の効果】
【００１６】
本発明は、リモコン送信手段から送信されるキーコード信号を受信する手段と、受信したキーコード信号を連続動作するキーによるものと連続動作しないキーによるものに区別する手段と、前記受信したキーコード信号を確定する処理を行う処理手段とからなり、該処理手段は区別されたキーコード信号の種類毎に異なる処理を行うので、リモコン送信機の各種キー押下時に外部的あるいは内部的要因（照明光源、本体内部ノイズ、リモコン通信時のノイズ、リモコンキーの多重押下等）が発生しても、操作対象機器側でのデコードエラーの影響を少なくするとともに、素早いキーの押下換えにも反応できるリモコン信号の受信装置を提供することが可能となる。
【００１７】
また、音量キー、カーソルキー等のキーを押下し続けると連続動作するキーについては、処理手段が連続動作するキーによるキーコード信号を確定した後、異なるキーコード信号を受信したとき、直ちに前記異なるキーコード信号を確定するので、素早いキーの押下替えにも反応できるリモコン信号の受信装置を提供することが可能となる。
【００１８】
また、電源キー、メニューキー等の連続動作しないキーについては、連続動作しないキーによるキーコード信号を確定した後、異なるキーコード信号を複数回連続して受信したとき、前記異なるキーコード信号を確定するので、連続動作しないキーの押下中にノイズ等で連続押下が一時的にキャンセルされた状態となっても誤動作が顕著に現れない。
【００１９】
以下、本発明の実施の形態を図１〜３を参照して説明する。
図１は、本発明のリモコン信号の受信装置が適用されるテレビジョン放送受信機の一例を示すブロック図である。
図１に示すテレビジョン放送受信機１０は、アナログ放送受信アンテナ１１、アナログチューナ部１２、アナログ復調部１３、ＡＶスイッチ部１４、デジタル放送受信アンテナ１５、デジタルチューナ部１６、デジタル復調部１７、分離部（ＤＭＵＸ）１８、ビデオデコード／キャプチャ部１９、ＥＰＧ／ＯＳＤ予約処理部２０、オーディオデコード部２１、ビデオセレクタ部２２、ビデオ出力変換部２３、映像出力部２４、オーディオセレクタ部２５、オーディオ出力変換部２６、音声出力部２７、選局部２８、ＲＡＭ２９、ＣＰＵ３０、ビデオマウスコネクタ３１、ビデオマウスマイコン３２、不揮発性メモリ３３、通信制御部３４、リモコン受光部３５等から構成されている。また、テレビジョン放送受信機１０はリモコン送信機４０を備えており、リモコン送信機４０から送信されてくる赤外線リモコン信号をリモコン受光部３５で受信し、ＣＰＵ３０で解読して所望の操作を行う。
【００２０】
図１において、アナログチューナ部１２は、アナログ放送受信アンテナ１１で受信したアナログ放送信号を選局し、アナログ復調部１３で復調した後、ＡＶスイッチ部１４でビデオ信号とオーディオ信号に分離・抽出する。また、デジタルチューナ部１６は、デジタル放送受信アンテナ１５で受信したデジタル放送信号を選局し、デジタル復調部１７で復調する。分離部１８は、復調されたデジタル放送データからＥＰＧ（Electronic Program Guide）データ、ＳＩ（Service Information）データ、ＣＣ（Closed captioning）データ、テレテキストデータ、データ放送のデータ等を分離・抽出する。ビデオデコード／キャプチャ部１９は、分離されたデジタル放送データのビデオデータをデコードし、ビデオ情報を静止画としてキャプチャする。
【００２１】
選局部２８は、アナログチューナ部１２及びデジタルチューナ部１６におけるアナログ放送及びデジタル放送の選局処理を行う。ＲＡＭ２９は、任意のアドレスを指定して読み書きすることが可能な半導体メモリで、プログラムを展開し実行したり、抽出したＥＰＧデータや、ＳＩデータ、ＣＣデータ、テレテキストデータ、データ放送のデータ等から取得される番組に関する情報（番組情報）を保存したり、インターネットから取得される番組情報を保存する。
【００２２】
ＣＰＵ（表示制御部）３０は、テレビジョン放送受信機１０全体の処理を司り、映像出力部の表示制御や、番組の録画予約や視聴予約等の処理を行い、さらには、上記取得した番組情報の表示制御や、通信制御部３４の処理等を行う。
【００２３】
ＥＰＧ／ＯＳＤ予約処理部２０は、ＲＡＭ２９あるいは不揮発性メモリ３３に保存された番組情報を表示させるための処理を行う。ＥＰＧ／ＯＳＤ予約処理部２０は、例えば、ＢＭＬ（Broadcast Markup Language）ブラウザ機能、ＯＳＤ（On Screen Display）機能、ＰｏｕｔＰ（Picture out Picture）機能等を備え、これらの機能を利用して番組情報を表示させるための処理を行う。
【００２４】
オーディオデコード部２１は、分離部１８で分離されたオーディオデータをデコードする。ビデオ出力変換部２３は、ビデオ信号と番組情報を合わせてからビデオ出力信号に変換する。映像出力部２４は、ビデオ出力変換部２３からのビデオ出力信号を表示出力する液晶ディスプレイ等の表示手段である。オーディオ出力変換部２６は、デコードされたオーディオ信号をオーディオ出力信号に変換する。音声出力部２７は、オーディオ出力変換部２６からのオーディオ出力信号を音声出力するスピーカ等の手段である。
【００２５】
ビデオマウスマイコン３２は、ビデオマウスコネクタ３１に接続される図示しないビデオマウスで送信する信号の制御を行う。不揮発性メモリ３３は、プログラムやユーザデータ、ＥＰＧデータ、リモコン信号を解読し、各部を操作するためのデータ等が格納されている書換え可能なメモリである。通信制御部３４は、電話回線や、ＬＡＮ、インターネット等のネットワークとの通信制御を行い、ＥＰＧデータ等をネットワークを介して取得する。リモコン受光部３５は、リモコン送信機４０からの操作信号を受信してそのキーコード信号をＣＰＵ３０に送る。
【００２６】
図２は、図１に示すテレビジョン放送受信機を遠隔操作するリモコン送信機の操作面を示す図である。
図１に示すテレビジョン放送受信機を遠隔操作するリモートコントローラの例として、図２に示すリモコン送信機４０は、その操作面に電源キー４１、選局キー４２、ダイレクト選局キー４３、音量キー４４、入力切換キー４５、メニューキー４６、消音キー４７等の各種設定キーとともに、上下方向のカーソルキー４８ｕ，４８ｄ、左右方向のカーソルキー４８ｌ，４８ｒ、決定キー４９、その他図２に示すような各種キーが設けられる。
【００２７】
操作面に配設された複数のキーの中から所望のコマンドに対応するキーが押下されると、そのキーのコマンドに対応する赤外線等による遠隔制御信号（リモコン信号）がリモコン送信機４０から出力され、この遠隔制御信号がテレビジョン放送受信機１０のリモコン受光部３５で受信され、受信された遠隔制御信号に応じて、操作対象機器の動作が設定される。
【００２８】
前記したように、リモコン送信機に配設されているキーの中には、選局キー４２、音量キー４４、カーソルキー４８等のようにキーを押下し続ける間は連続動作するキー(以下、「連続動作キー」と表記する。)と、電源キー４１、入力切換キー４５、メニューキー４６、消音キー４７等のようにキーを押下し続けても連続動作しないキー(以下、「非連続動作キー」と表記する。)がある。ここで、連続動作キー、非連続動作キーのいずれにおいても、赤外線等による遠隔制御信号（キーコード信号）はキーを押下している期間中、一定の周期（例えば、１２８ミリ秒）で連続して送信される。
【００２９】
選局キー４２や音量キー４４等の連続動作キーによれば、キーを押下し続けることで所望の状態になるまで何回もキーを押下する必要がなくなる。一方、電源キー４１等のキーを押下し続けても連続動作をしない非連続動作キーにおいて、連続して押下している間に押下動作が瞬間的に中断された場合、キーを１回押下したのに２回押下したような動作をし、例えば、電源キーを１回押下したと認識している場合であっても、電源がＯＦＦ→ＯＮし、さらにＯＮ→ＯＦＦし、誤動作が顕著に現れる。本発明は、このような誤動作が発生することを操作対象機器側の処理によって防止する。
【００３０】
以下、本発明の実施形態において、リモコン送信機から送信された遠隔制御信号を受信した後、押下されたキーを認識する際の動作について説明する。
本発明の受信装置においては、リモコンキーが連続して押下されることによって（連打ではない）、受信装置にキーコード信号が一定周期で連続的に入力された時の処理を行う際に、キーコード信号を連続動作キーによるものと非連続動作キーによるものとに区別し、操作対象機器側でキーの種類毎に異なる処理を行って、押下されたキーを確定するものである。
【００３１】
テレビジョン放送受信機１０を操作するため、リモコン送信機４０の操作面に設置された複数のキーの中から所望のコマンドに対応するリモコンキーを押下すると、そのキーに対応した赤外線キーコード信号が生成され、テレビジョン放送受信機１０のリモコン受光部３５で受光・受信される。受信された赤外線キーコード信号は、不揮発性メモリ３３等に保存されているテーブルを参照して、キーコードから押下されたキーを判定する。このとき、キーが連続して押下され、リモコン受光部３５が赤外線キーコード信号を連続して受信した際、次のようにして連続押下時判定処理が行われる。
【００３２】
（連続動作キーが押下された場合の処理）
先行して押下されたキー操作（以下、「キー操作Ａ」と表記する。）が連続動作キーに対してなされたものとし、テレビジョン放送受信機１０のリモコン受光部３５がキー操作Ａに伴って発生したキーコード（以下、「キーコードＡ」と表記する。）を受信すると、不揮発性メモリ３３に記憶されたテーブルを参照してキーコードＡを確定する。
【００３３】
その後、押下されたキー操作（以下、「キー操作Ｂ」と表記する。）に伴って発生したキーコード（以下、「キーコードＢ」と表記する。）を受信し、そのキーコードＢが先に確定しているキーコードＡと異なる場合、直ちにキーコードＢとして確定する。
ただし、キー操作Ａの後に受信したキーコードＢが、定義されたキーコードでないときは、最初に確定したキーコードＡで連続押下した扱いとする。ここで、「定義されたキーコード」とは、不揮発性メモリ３３に記憶され、キーとキーコードを対応付けるためのテーブルに登録されているキーコードを意味し、「定義されていないキーコード」とは、例えば、キーコード中のビットがノイズ等により破壊されたキーコードとか、他社のリモコン送信機から送信されたキーコードとかで、テーブルに登録されていないキーコードを意味する。
【００３４】
（非連続動作キーが押下された場合の処理）  
先行するキー操作、すなわちキー操作Ａが非連続動作キーに対してなされた場合、連続動作キーに対する処理と同様にしてキーコードＡを確定する。
その後、受信装置がキーコードＡと異なるキーコードＢを受信した場合、直ちにキーコードＢを確定せず、キーコードＢを複数回連続して検出した場合にキーコードＢを確定する。
ただし、キーコードＢが定義されたキーコードでない場合、キーコードＡを連続して押下した扱いとする。
【００３５】
図３は、本発明のリモコン信号の受信装置がキーコード信号を認識する際の処理を示すフローチャート、図４は、図３の処理から分岐する処理を示すフローチャートである。
前記した、連続動作キーおよび非連続動作キーに対する各処理は、以下のようにして実行することができる。
テレビジョン放送受信機１０がリモコン送信機４０から送信された赤外線キーコード信号であるキーコードＢを受信すると（ステップ１）、そのキーコードＢは定義されたキーコード、つまり、不揮発性メモリ３３に保存されたテーブルに登録されているキーコードであるか否かをチェックする（ステップ２）。
【００３６】
ステップ２で、キーコードＢがテーブルに定義されているキーコードである場合（ステップ２−Ｙ）、前回受信した、例えば１２８ミリ秒前の周期で受信し、確定しているキーコードＡがあるか否かチェックし（ステップ３）、確定しているキーコードＡがあれば（ステップ３−Ｙ）、確定しているキーコードＡと今回受信したキーコードＢとが同じか否かチェックし（ステップ４）、同じであれば（ステップ４−Ｙ）、キーコードＡの連続押下を継続し（ステップ５）、確定キーコードを保存し（ステップ６）、処理を終了する。
【００３７】
ステップ１で受信したキーコードＢが、定義されているキーコードでない場合（ステップ２−Ｎ）、キーコードＢを破棄して（ステップ７）、処理を終了する。
また、ステップ３で、前回受信し、確定しているキーコードＡがなければ、（ステップ３−Ｎ）、キーコードＢを確定し（ステップ８）、確定キーコードを保存し（ステップ６）、処理を終了する。
【００３８】
ステップ４で、前回受信し、確定しているキーコードＡと今回受信したキーコードＢとが同じでない場合（ステップ４−Ｎ）、キーコードＡは連続動作キーによるものであるか否かチェックする（ステップ９）。キーコードＡが連続動作キーによるものである場合（ステップ９−Ｙ）、キーコードＢでキーコードを確定し（ステップ１０）、確定キーコードを保存し（ステップ６）、処理を終了する。
【００３９】
ステップ９で、キーコードＡは連続動作キーによるものでない場合（ステップ９−Ｎ）、キーコードＢが複数回受信されたか否かを検出するための処理を行うため、後述する仮確定キーコードがあるか否かチェックする（ステップ１１）。仮確定キーコードがない場合（ステップ１１−Ｎ）、今回受信したキーコードＢを仮確定キーコードとして保存し（ステップ１２）、仮確定カウンタを１にセットした後（ステップ１３）、キーコードＡで連続押下を継続し（ステップ１４）、確定キーコードを保存し（ステップ６）、処理を終了する。
【００４０】
非連続動作キーによるキーコードＡを確定した後、キーコードＢを受信し、さらに１２８ミリ秒後の周期で第２回目のキーコードＢを受信すると（ステップ１）、第２回目に受信したキーコードＢは、ステップ２，３，４，９を経て、仮確定キーコードがあるか否かチェックされ（ステップ１１）、この場合仮確定キーコードが保存されているから（ステップ１１−Ｙ）、ステップ１５へ移行し、キーコードＢと仮確定キーコードが同じであるか否かチェックし、同じであると（ステップ１５−Ｙ）、仮確定カウンタ値を＋１加算し（ステップ１６）、仮確定キーコードが所定回（例えば、３回）一致したか否かチェックする（ステップ１７）。ステップ１７で所定回数が３回である場合、第２回目のキーコードＢを受信しても、仮確定キーコードが所定回数に達しないから（ステップ１７−Ｎ）、キーコードＡで連続押下を継続し（ステップ１４）、確定キーコードを保存する（ステップ６）。
【００４１】
さらに１２８ミリ秒後、第３回目のキーコードＢを受信すると、同様にして、ステップ１７で仮確定キーコードが所定回数（３回）に達したことが検出され（ステップ１７−Ｙ）、キーコードＢでキーコードを確定し（ステップ１８）、仮確定カウンタを０にリセットした後（ステップ１９）、確定キーコードを保存し（ステップ６）、処理を終了する。したがって、例えば電源キーを連続して押下中に一時的に（１２８×３＝３８４ミリ秒）押下動作が中断しても、電源がＯＦＦ→ＯＮ、ＯＮ→ＯＦＦとなることはない。
【００４２】
また、ステップ１５で、第２回目のキーコードＢと前回ステップ１２で保存された第１回目の仮確定キーコードが同じでない場合（ステップ１５―Ｎ）、キーコードＢを（第１回目の）仮確定キーコードとして保存し（ステップ２０）、仮確定カウンタに１をセットし（ステップ２１）、仮確定キーコードが所定回（例えば、３回）一致したか否かチェックする（ステップ１７）。
【００４３】
なお、本発明はテレビジョン放送受信機を遠隔操作する実施形態について説明したが、このような実施形態に限定されるものではなく、ＤＶＤプレーヤ、ＨＤＤプレーヤ等のＡＶ機器、エアコンや照明器具のような電子機器を遠隔操作するリモコン装置に適用可能であって、本発明の技術思想の範囲内において、適宜変更して実施し得るものである。
【図面の簡単な説明】
【００４４】
【図１】本発明のリモコン信号の受信装置が適用されるテレビジョン放送受信機の一例を示すブロック図である。
【図２】図１に示すテレビジョン放送受信機を遠隔操作するリモコン送信機の操作面を示す図である。
【図３】本発明のリモコン信号の受信装置がキーコード信号を認識する際の処理を示すフローチャートである。
【図４】図３の処理から分岐する処理を示すフローチャートである。
【符号の説明】
【００４５】
１０…テレビジョン放送受信機、１１…アナログ放送受信アンテナ、１２…アナログチューナ部、１３…アナログ復調部、１４…ＡＶスイッチ部、１５…デジタル放送受信アンテナ、１６…デジタルチューナ部、１７…デジタル復調部、１８…分離部（ＤＭＵＸ）、１９…ビデオデコード／キャプチャ部、２０…ＥＰＧ／ＯＳＤ予約処理部、２１…オーディオデコード部、２２…ビデオセレクタ部、２３…ビデオ出力変換部、２４…映像出力部、２５…オーディオセレクタ部、２６…オーディオ出力変換部、２７…音声出力部、２８…選局部、２９…ＲＡＭ、３０…ＣＰＵ、３１…ビデオマウスコネクタ、３２…ビデオマウスマイコン、３３…不揮発性メモリ、３４…通信制御部、３５…リモコン受光部、４０…リモコン送信機、４１…電源キー、４２…選局キー、４３…ダイレクト選局キー、４４…音量キー、４５…入力切換キー、４６…メニューキー、４７…消音キー、４８…カーソルキー、４９…決定キー。
【図１】
2007228124.tif 000003
【図２】
2007228124.tif 000004
【図３】
2007228124.tif 000005
【図４】
2007228124.tif 000006